(57)【特許請求の範囲】
【請求項１】
ディジタル輝度信号、第１、第２のディジタル色差信号からなるディジタル映像信号が入力され、このディジタル映像信号を、標準テレビジョン方式の第１のアナログ映像信号または非標準テレビジョン方式の第２のアナログ映像信号に変換して出力するディジタル映像装置であって、
上記アナログ映像信号の複製を防止するために、上記アナログ映像信号が供給される映像信号記録再生装置のＡＧＣの誤動作を引き起こすような振幅の信号を上記ディジタル輝度信号に付加することにより、少なくとも上記ディジタル輝度信号を修飾する修飾手段と、
上記第１、第２のディジタル色差信号により、互いに位相が直交する色搬送波をそれぞれ変調してディジタル搬送色信号を形成し、このディジタル搬送色信号と上記修飾されたディジタル輝度信号とを加算することによりディジタルコンポジット信号を生成するディジタルコンポジット信号生成手段と、
上記修飾されたディジタル輝度信号と、上記第１、第２のディジタル色差信号とが供給され、三原色のディジタル映像信号を出力するマトリクス手段と、
上記ディジタルコンポジット信号生成手段により生成された上記ディジタルコンポジット信号、または、上記マトリクス手段により生成された上記三原色のディジタル映像信号の中の一つの原色ディジタル映像信号が選択的に供給され、アナログコンポジット信号、または、一つの原色アナログ映像信号に変換して出力する第１のＤＡ変換手段と、
上記マトリクス手段により生成された上記三原色のディジタル映像信号の中の残りの二つの原色ディジタル映像信号がそれぞれ供給され、二つの原色アナログ映像信号に変換する第２、第３のＤＡ変換手段とを備えており、
上記標準テレビジョン方式の映像信号を出力する場合には、上記第１のアナログ映像信号として少なくとも上記アナログコンポジット信号を出力し、
上記非標準テレビジョン方式の映像信号を出力する場合には、上記第２のアナログ映像信号として三原色のアナログ映像信号を出力する
ことを特徴とするディジタル映像装置。
【請求項２】
上記修飾手段は、複製防止用制御信号に応じて、上記ディジタル輝度信号の修飾を行うか否かを切り換えることができるようにしたことを特徴とする請求項１に記載のディジタル映像装置。
【請求項３】
上記修飾手段は、上記ディジタル搬送色信号も修飾するようにしたことを特徴とする請求項１に記載のディジタル映像装置。
【請求項４】
ディジタル輝度信号、第１、第２のディジタル色差信号からなるディジタル映像信号が入力され、このディジタル映像信号を、標準テレビジョン方式の第１のアナログ映像信号または非標準テレビジョン方式の第２のアナログ映像信号に変換して出力するディジタル映像信号変換方法であって、
上記アナログ映像信号の複製を防止するために、上記アナログ映像信号が供給される映像信号記録再生装置のＡＧＣの誤動作を引き起こすような振幅の信号を上記ディジタル輝度信号に付加することにより、少なくとも上記ディジタル輝度信号を修飾する修飾ステップと、
上記第１、第２のディジタル色差信号により、互いに位相が直交する色搬送波をそれぞれ変調してディジタル搬送色信号を形成し、このディジタル搬送色信号と上記修飾されたディジタル輝度信号とを加算することによりディジタルコンポジット信号を生成するディジタルコンポジット信号生成ステップと、
上記修飾されたディジタル輝度信号と、上記第１、第２のディジタル色差信号とが供給され、三原色のディジタル映像信号を出力するマトリクス演算ステップと、
上記ディジタルコンポジット信号生成ステップにより生成された上記ディジタルコンポジット信号、または、上記マトリクス演算ステップにより生成された上記三原色のディジタル映像信号の中の一つの原色ディジタル映像信号を、アナログコンポジット信号、または、一つの原色アナログ映像信号に変換して出力する第１のＤＡ変換ステップと、
上記マトリクスステップにより生成された上記三原色のディジタル映像信号の中の残りの二つの原色ディジタル映像信号を、二つの原色アナログ映像信号に変換する第２、第３のＤＡ変換ステップとを備えており、
上記標準テレビジョン方式の映像信号を出力する場合には、上記第１のアナログ映像信号として少なくとも上記アナログコンポジット信号を出力し、
上記非標準テレビジョン方式の映像信号を出力する場合には、上記第２のアナログ映像信号として三原色のアナログ映像信号を出力する
ことを特徴とするディジタル映像信号変換方法。
【請求項５】
上記修飾ステップは、複製防止用制御信号に応じて、上記ディジタル輝度信号の修飾を行うか否かを選択できるようにしたことを特徴とする請求項４に記載のディジタル映像信号変換方法。
【請求項６】
上記修飾ステップは、上記ディジタル搬送色も修飾するようにしたことを特徴とする請求項４に記載のディジタル映像信号変換方法。
【発明の詳細な説明】
【０００１】
【発明の属する技術分野】
この発明は、ディジタル映像信号から、標準テレビジョン信号と、相異なる映像信号方式の映像信号を生成し、フィルタ回路の遅延素子で時間遅れ量を調整して出力し、いずれの映像信号に対しても複製防止のための映像信号修飾を行うよう構成したディジタル映像装置及びディジタル映像信号変換方法に関する。
【０００２】
【従来の技術】
従来の映像信号方式変換回路では、標準テレビジョン信号方式による映像出力であった。しかしながら、市場によっては、近年の高画質化またはシステム或いは機器の構成及び接続などの要求に対応して、標準テレビジョン信号方式のみならず、例えば、輝度・色差信号或いはＲＧＢ信号などの標準テレビジョン信号方式とは相異なる映像信号方式を扱う映像機器が出現している。
【０００３】
一方、例えばＶＴＲなどに代表されるような、映像信号を記録再生する装置の普及により、映像ソフトの著作権保護の観点から、例えば、マクロビジョン社の映像信号修飾方法（米国特許第４６３１６０３号，第４５７７２１６号，第４８１９０９８号）による複製防止の方法が知られている。このような映像信号修飾による複製防止は標準テレビジョン信号方式に対して施され、信号方式変換の際に施される場合が多いが、非標準テレビジョン信号については実施された例がない。
【０００４】
【発明が解決しようとする課題】
これらのシステムに対応すべく、非標準テレビジョン信号方式に対応した信号方式変換をも行うことが、必要となった。また非標準テレビジョン信号などに対して何ら著作権保護を行わないのは知的所有権保護の点から、明らかに不都合を生じる。そこで、非標準テレビジョン信号方式の映像信号に対しても複製防止の映像信号修飾を施す必要が生じた。
【０００５】
この発明の目的は、かかる問題を解消し、第１の映像信号方式によるディジタル映像信号から標準テレビジョン信号方式の映像信号と第２の映像信号方式による映像信号を変換出力し、該何れの映像信号方式の映像信号に対しても、複製防止のための映像信号修飾を施すことができるディジタル映像装置及びディジタル映像信号変換方法を提供することにある。
【０００６】
【課題を解決するための手段】
この発明は、ディジタル輝度信号、第１、第２のディジタル色差信号からなるディジタル映像信号が入力され、このディジタル映像信号を、標準テレビジョン方式の第１のアナログ映像信号または非標準テレビジョン方式の第２のアナログ映像信号に変換して出力するディジタル映像装置であって、
アナログ映像信号の複製を防止するために、アナログ映像信号が供給される映像信号記録再生装置のＡＧＣの誤動作を引き起こすような振幅の信号をディジタル輝度信号に付加することにより、少なくともディジタル輝度信号を修飾する修飾手段と、
第１、第２のディジタル色差信号により、互いに位相が直交する色搬送波をそれぞれ変調してディジタル搬送色信号を形成し、このディジタル搬送色信号と修飾されたディジタル輝度信号とを加算することによりディジタルコンポジット信号を生成するディジタルコンポジット信号生成手段と、
修飾されたディジタル輝度信号と、第１、第２のディジタル色差信号とが供給され、三原色のディジタル映像信号を出力するマトリクス手段と、
ディジタルコンポジット信号生成手段により生成されたディジタルコンポジット信号、または、マトリクス手段により生成された三原色のディジタル映像信号の中の一つの原色ディジタル映像信号が選択的に供給され、アナログコンポジット信号、または、一つの原色アナログ映像信号に変換して出力する第１のＤＡ変換手段と、
マトリクス手段により生成された三原色のディジタル映像信号の中の残りの二つの原色ディジタル映像信号がそれぞれ供給され、二つの原色アナログ映像信号に変換する第２、第３のＤＡ変換手段とを備えており、
標準テレビジョン方式の映像信号を出力する場合には、第１のアナログ映像信号として少なくともアナログコンポジット信号を出力し、
非標準テレビジョン方式の映像信号を出力する場合には、第２のアナログ映像信号として三原色のアナログ映像信号を出力する
ことを特徴とするディジタル映像装置である。
【０００７】
この発明は、ディジタル輝度信号、第１、第２のディジタル色差信号からなるディジタル映像信号が入力され、このディジタル映像信号を、標準テレビジョン方式の第１のアナログ映像信号または非標準テレビジョン方式の第２のアナログ映像信号に変換して出力するディジタル映像信号変換方法であって、
アナログ映像信号の複製を防止するために、アナログ映像信号が供給される映像信号記録再生装置のＡＧＣの誤動作を引き起こすような振幅の信号をディジタル輝度信号に付加することにより、少なくともディジタル輝度信号を修飾する修飾ステップと、
第１、第２のディジタル色差信号により、互いに位相が直交する色搬送波をそれぞれ変調してディジタル搬送色信号を形成し、このディジタル搬送色信号と修飾されたディジタル輝度信号とを加算することによりディジタルコンポジット信号を生成するディジタルコンポジット信号生成ステップと、
修飾されたディジタル輝度信号と、第１、第２のディジタル色差信号とが供給され、三原色のディジタル映像信号を出力するマトリクス演算ステップと、
ディジタルコンポジット信号生成ステップにより生成されたディジタルコンポジット信号、または、マトリクス演算ステップにより生成された三原色のディジタル映像信号の中の一つの原色ディジタル映像信号を、アナログコンポジット信号、または、一つの原色アナログ映像信号に変換して出力する第１のＤＡ変換ステップと、
マトリクスステップにより生成された三原色のディジタル映像信号の中の残りの二つの原色ディジタル映像信号を、二つの原色アナログ映像信号に変換する第２、第３のＤＡ変換ステップとを備えており、
標準テレビジョン方式の映像信号を出力する場合には、第１のアナログ映像信号として少なくともアナログコンポジット信号を出力し、
非標準テレビジョン方式の映像信号を出力する場合には、第２のアナログ映像信号として三原色のアナログ映像信号を出力する
ことを特徴とするディジタル映像信号変換方法である。
【０００８】
このようにすることで、最小限の回路構成で、ディジタル映像信号から標準テレビジョン信号方式の映像信号と非標準の映像信号方式による映像信号を変換出力することができ、何れの映像信号方式の映像信号に対しても、複製防止のための映像信号修飾を施すことが可能になる。
【０００９】
【発明の実施の形態】
以下、この発明の実施例を図面によって説明する。以下の実施例においては、第１の映像信号方式が時系列化されたディジタル輝度信号及び色差信号で、変換される第２の映像信号方式がアナログ信号形式であり、標準のテレビジョン信号は主にＮＴＳＣ方式である場合で、複製防止の方法としてマクロビジョン方式を用いた場合を例に挙げて説明する。より具体的には、第１の映像信号方式がＣＣＩＲ−６０１規格による、ディジタル映像信号ストリームの場合であって、第２の映像信号方式がアナログのＹＵＶ信号で、標準のテレビジョン信号はＮＴＳＣ方式をとる場合を例にこの発明を説明する。標準テレビジョン信号が出力されるときに、輝度・色差信号、コンポジット信号の形態の信号が出力される。
【００１０】
図１はこの発明による映像信号変換回路の一実施例を示す構成図であって、１、２、３、７、８、１９、２０、２１、４９は信号入力端子、４はクロック発生回路、５は同期信号発生回路、６はマトリックス回路、９、１０、１１、２７はラッチ回路、１２は遅延回路、１３、１４、３８、３９、４０は信号補間回路、１５、１６、１７は信号レベル変換回路、１８はマイクロコンピュータ（図示せず）からの指令を受けるシリアル信号回路、２２、２３、２４、２８、３１、３４、３６、４１、４２、５０、５１、５２はセレクタであり、選択信号Ｓが「１」の場合には入力Ｂが、選択信号Ｓが「０」の場合は入力Ａが出力Ｏに出力される、２５、２６は複数の時間遅延素子等からなる濾波回路、２９、３０はマルチプライヤー（乗算）回路、３２、３７、４３、４４は加算回路、３３は複製防止のために映像信号を修飾する信号を発生する複製防止信号発生回路、３５は同期信号傾斜発生回路、５３、５４、５５はＤＡ変換回路、５６、５７、５８は出力回路である。図２は、入力端子１または７に入力される、ＣＣＩＲ−６０１規格によるディジタル映像信号ストリームの信号波形図である。
【００１１】
まず通常の標準テレビジョン信号を出力する場合について説明する。図１で、入力端子２からシステムの基準となるクロック信号が、入力端子３からシステムの状態を初期化するリセット信号が入力され、クロック信号発生回路４によってシステム各部にクロック信号とリセット信号が供給される（図示せず）。マイクロコンピュータ（図示せず）からは、入力端子１９、２０、２１を介してモード設定信号などがシリアル信号回路に入力され、システム各部のモードを設定する（一部のみ図示）。入力端子１または７から、図２に示される信号が入力される。図２の８ビットモード或いは１６ビットモードは入力端子８の信号によって切り換えられ、マトリックス回路６に入力される。
【００１２】
マトリックス回路６では、ラッチ回路９、１０、１１によって、時系列から各々信号Ｙ、Ｃｂ、Ｃｒを分離され、ラッチ回路１０、１１の出力は信号補間回路１３、１４により輝度信号の画素数と同一数に補間される。輝度信号Ｙは信号補間回路１３、１４における信号の時間遅延を補正するために、遅延回路１２において所定の時間だけ遅延を受ける。遅延回路１２及び信号補間回路１３、１４の出力は信号レベル変換回路により、信号処理に適した信号のレベルに変換されると同時に所定の係数を乗じられることで、ＹＵＶ信号に変換される。レベル信号変換回路１６、１７の出力Ｕ、Ｖは、帯域制限のための濾波回路２５、２６に供給される。
【００１３】
ここで、マクロビジョン社の映像信号修飾方法（米国特許第４６３１６０３号，第４５７７２１６号，第４８１９０９８号）による複製防止の方法では、輝度信号にそのパルス高が、映像信号レベルを越え或いはペデスタルレベルと相等しい範囲で変化するパルスを印加し、映像信号記録再生装置のＡＧＣの誤動作を惹起する。更には所定の水平同期信号期間の内、複数の水平同期信号期間のみ色信号処理の基準となる色副搬送波の位相を逆転せしめることで、映像信号記録再生装置の色信号処理回路の誤動作を惹起するなどの方法が採られる。
【００１４】
これらを実現するために、複製防止信号発生回路３３よりセレクタ２２、２３、２４、２８を制御して色信号の修飾を図る。それに応じた遅延を輝度信号に与えるべく、輝度信号はラッチ回路２７で遅延される。ラッチ回路２７及びセレクタ２８の出力はマルチプライヤー回路２９、３０で色副搬送波発生回路（図示せず）からの余弦波信号cos 、正弦波信号sin と乗ぜられ、加算回路３２で加算されて、色信号に変換される。
【００１５】
一方、輝度信号Ｙは同期信号傾斜発生回路３５及びセレクタ３６により同期信号を付加される。更に、ここで複製防止信号発生回路３３からの前述のパルス信号と加算回路３７で加算される。こうして複製防止信号により映像信号の修飾が完成する。これらの修飾はマイクロコンピュータ（図示せず）からのモード設定により、付加または解除の設定が可能である。
【００１６】
上記のように処理された輝度信号と色信号は信号補間回路３８、４０により画素補間された後、輝度信号はセレクタ５０を経由してＤＡ変換回路５３でアナログ信号に変換され、出力端子５６に出力される。色信号は加算回路４３でオフセット値を加算された後、セレクタ５２を経由してＤＡ変換回路５５でアナログ信号に変換され、出力端子５８から出力される。また輝度信号と色信号はセレクタ４１、４２を通って、加算回路４４に供給され、ここでコンポジット信号となり、セレクタ５１を経由してＤＡ変換回路５４に入り、アナログ信号に変換された後、出力端子５７から出力される。ここで、セレクタ５０、５１、５２はＤＡ変換回路５３、５４、５５のテスト用の信号入力との選択を行うもので、通常使用では常時入力Ａが選択される。
【００１７】
次にこの発明による、非標準テレビジョン信号を出力する場合の動作について説明する。同じく図１で、入力端子２からシステムの基準となるクロック信号が、入力端子３からシステムの状態を初期化するリセット信号が入力され、クロック信号発生回路４によってシステム各部にクロック信号とリセット信号が供給される（図示せず）。マイクロコンピュータ（図示せず）からは、入力端子１９、２０、２１を介してモード設定信号などがシリアル信号回路に入力され、システム各部のモードを設定する（一部のみ図示）。ここで通常の場合と異なるのは、ＹＵＶ信号出力を行うべく、制御信号ＹＵＶが「１」に設定されることである。入力端子１または７から、図２に示される信号が入力される。図２の８ビットモード或いは１６ビットモードは入力端子８の信号によって切り換えられ、マトリックス回路６に入力される。
【００１８】
マトリックス回路６では、ラッチ回路９、１０、１１によって、時系列から各々信号Ｙ、Ｃｂ、Ｃｒを分離され、ラッチ回路１０、１１の出力は信号補間回路１３、１４により輝度信号の画素数と同一数に補間される。輝度信号Ｙは信号補間回路１３、１４における信号の時間遅延を補正するために、遅延回路１２において所定の時間だけ遅延を受ける。遅延回路１２及び信号補間回路１３、１４の出力は信号レベル変換回路により、信号処理に適した信号のレベルに変換されると同時に所定の係数を乗じられることで、ＹＵＶ信号に変換される。
【００１９】
ここで得られたＹＵＶ信号を出力すると、複製防止信号による映像信号修飾ができないばかりか、輝度信号に対する後段での信号処理と色差信号に対する信号処理とが異なるために、輝度信号と色差信号との時間的な整合が崩れることになる。そこで、この発明では、ＹＵＶ信号出力時には使われない濾波回路２５、２６の時間遅延素子を用いて、輝度信号と色差信号の時間的整合を確保する。
【００２０】
図３に、複数の時間遅延素子から構成される濾波回路２５の一構成例を示す。同様に濾波回路２６も類似の構成で実現することが可能である。このような濾波回路はディジタルフィルタの一般的な構成例であるので、ここではこの発明に関する動作について説明するにとどめ、本来の濾波回路としての動作の説明は割愛する。同図において、５９、６０は入力端子、６１は出力端子、６２、６３、６４、６５、６６、６７、６８、６９、７０、７１は時間遅延素子、７２、７３、７４、７５、７６、７７、７８、７９、８０は加算回路、８１、８２、８３、８４、８５、８６、８７、８８、８９は係数器、９０、９１はセレクタである。
【００２１】
入力端子６０から入力された信号は時間遅延素子６２などを通ることで時間遅延を受ける。本来は該時間遅延された信号に係数を掛け、加算などすることで、所望の濾波特性を達成する。この発明では、これらの時間遅延素子を遅延回路として用いる。このため、入力端子５９に「１」のレベル信号を印加し、セレクタ９０、９１を切り換えることで、時間遅延素子を直列に接続し直す。その動作は、同図より明らかである。ここでは、仮に１０の時間遅延素子を用いた濾波回路において、直列に９段の時間遅延素子を接続した例を挙げて説明したが、システム構成はこれに限られない。即ち、標準テレビジョン信号に対する所望の特性を得るのに、時間遅延素子の数は上記に限らず、また直接に接続する時間遅延素子の数も、また上記に限定するものではなく、標準テレビジョン信号に対して用いられる時間遅延素子の数を越えない範囲であれば良い。このように構成することで、後段の時間遅延量の差異を吸収することができる。
【００２２】
再び図１に戻って、マトリックス回路６により得られたＹＵＶ信号は、時間遅延を調整する、濾波回路２５、２６に入力され、後段をも含めた時間遅延量の差を吸収できうるだけの時間遅延を与えられて出力される。該出力は、一方は直接信号補間回路に、他方は複製防止のための映像信号修飾を施した信号とを選択する、セレクタ３１に入力される。ここで、複製防止のための映像信号修飾を行わない場合には、濾波回路２６の出力が直接出力され、複製防止のための映像信号修飾を行う場合には、濾波回路２６、セレクタ２８を経由した信号が出力される。セレクタ３１の出力は、セレクタ３４に入力され、選択されて、セレクタ３４の出力となり、信号補間回路４０に入力される。輝度信号に関しては、通常の場合と同様なので、説明を省略する。
【００２３】
信号補間回路３９で、信号補間された信号はセレクタ４１で選択され、セレクタ４２で選択された、オフセット値と加算回路４４で加算され、セレクタ５１を介してＤＡ変換回路５４に供給され、アナログ信号となって、出力端子５７より出力される。また信号補間回路４０で信号補間された信号は、加算回路４３においてオフセット値と加算され、セレクタ５２を介してＤＡ変換回路５５に供給され、アナログ信号となって出力端子５８より出力される。
【００２４】
ここで、輝度信号と色差信号の時間遅延量の差異について簡単に説明する。図１から明らかなように、輝度信号と色差信号の処理の差は、主にセレクタ或いは加算回路を経ているかいなかであり、夫々の構成要素における時間遅延量は高々数クロックないしは１０数クロック程度である。一方、標準テレビジョン信号に対する濾波回路の特性は、画質に直接影響することもあって、一般的に輝度信号と色差信号の時間遅延量の差異に比較して、それ以上の時間遅延素子を必要とする。
【００２５】
以上述べてきたように、この発明によれば、時系列化されたディジタル輝度信号及び色差信号の第１の映像信号方式の映像信号から、標準テレビジョン信号と非標準テレビジョン信号としてＹＵＶ信号を、なんらの時間遅延素子を追加すること無く出力することができ、何れの映像信号出力に対しても、複製防止の映像信号修飾を施すことができる。
【００２６】
次に、図４を用いて、この発明の第２の実施例について説明する。第２の実施例においても、第１の実施例と同様、第１の映像信号方式がＣＣＩＲ−６０１規格による、ディジタル映像信号ストリームの場合であって、第２の映像信号方式がアナログのＹＵＶ信号で、標準のテレビジョン信号はＮＴＳＣ方式をとる場合を例に挙げて説明する。標準テレビジョン信号が出力されるときに、輝度・色差信号、コンポジット信号の形態の信号が出力される。
【００２７】
ここで、第１の実施例と第２の実施例との差異は、第２のマトリックス回路４５によって、ＲＧＢ信号をも選択出力可能とし、このＲＧＢ信号に対しても、複製防止の映像信号修飾を施すことを可能にした点にある。ＹＵＶ信号からＲＧＢ信号を生成する方法は周知であるので、ここでの説明は割愛する。
【００２８】
以上述べてきたように、この発明によれば、時系列化されたディジタル輝度信号及び色差信号の第１の映像信号方式の映像信号から、標準テレビジョン信号と非標準テレビジョン信号としてＲＧＢ信号を、なんらの時間遅延素子を追加すること無く出力することができ、何れの映像信号出力に対しても、複製防止の映像信号修飾を施すことができる。
【００２９】
以上の実施例では、第１の映像信号方式が時系列化されたディジタル輝度信号及び色差信号であり、第２の映像信号方式をアナログ信号形式で、標準テレビジョン信号方式がＮＴＳＣ方式である場合で、複製防止の方法としてマクロビジョン方式を用いる場合の例について述べてきたが、この発明はこれに限らず、映像信号形式は上記実施例から適宜変更が可能であり、この発明は有効である。また上記実施例では、複製防止のための映像信号修飾方式として、マクロビジョン方式を例に挙げて説明したが、この発明はこれに限らず、他の映像信号修飾による方式を用いた場合においても、その有効性は減殺されない。
【００３０】
【発明の効果】
この発明は、最小限の回路構成で、ディジタル映像信号から標準テレビジョン信号方式の映像信号と非標準の映像信号方式による映像信号を変換出力することができ、何れの映像信号方式の映像信号に対しても、複製防止のための映像信号修飾を施すことが可能になる。
【図面の簡単な説明】
【図１】この発明による信号方式変換回路の第１の実施例を示すブロック図である。
【図２】この発明の実施例において入力される信号を説明する信号波形図である。
【図３】この発明で用いられた、複数の時間遅延素子からなる濾波回路の一構成例を示すブロック図である。
【図４】この発明による信号方式変換回路の第２の実施例を示すブロック図である。
【符号の説明】
６  マトリックス回路
２５、２６  濾波回路
【図１】
0003695421.tif 000002
【図２】
0003695421.tif 000003
【図３】
0003695421.tif 000004
【図４】
0003695421.tif 000005